(57)【特許請求の範囲】
【請求項１】
複数の基地局と、前記基地局と無線通信を行う移動局とを備えた無線システムであって、
前記基地局は、音声データを含む無線信号に当該基地局を示す情報を格納して送信し、
前記移動局は、
前記無線信号を前記基地局から受信する受信部と、
前記基地局を示す前記情報を格納する格納部と、
前記無線信号の受信電界強度が予め所望に設定されている基準値よりも低下したか否かを判別する第１の判別部と、
前記第１の判別部が前記受信電界強度が前記基準値よりも低いと判別した際に、受信している全ての前記無線信号を切り替える切り換え部と、
前記切り換え部が切り替えた全ての前記無線信号における各無線チャネルにおいて、前記受信部が受信した前記無線信号に格納されている前記基地局を示す前記情報が前記格納部に登録されているか否かを判別する第２の判別部と、
前記第２の判別部によって前記基地局を示す前記情報が前記格納部に登録されていると判別され、且つ、前記第１の判別部によって前記受信電界強度が前記基準値よりも最も高いと判別された前記無線信号を特定する特定部と、
を具備し、
前記切り換え部は、前記特定部によって特定された前記無線信号に切り替えることを特徴とする無線システム。
【請求項２】
前記第２の判別部は、前記無線信号に格納されている前記基地局を示す前記情報が前記格納部に登録されていないと判別すると、当該無線信号の無線チャネルを切り換え先候補から削除することを特徴とする請求項１記載の無線システム。
【請求項３】
音声データを含む無線信号によって複数の基地局と無線通信を行う移動局であって、
前記基地局から送信された当該基地局を示す情報が格納された前記無線信号を受信する受信部と、
前記基地局を示す前記情報を格納する格納部と、
前記無線信号の受信電界強度が予め所望に設定されている基準値よりも低下したか否かを判別する第１の判別部と、
前記第１の判別部が前記受信電界強度が前記基準値よりも低いと判別した際に、受信している全ての前記無線信号を切り替える切り換え部と、
前記切り換え部が切り替えた全ての前記無線信号における各無線チャネルにおいて、前記受信部が受信した前記無線信号に格納されている前記基地局を示す前記情報が前記格納部に登録されているか否かを判別する第２の判別部と、
前記第２の判別部によって前記基地局を示す前記情報が前記格納部に登録されていると判別され、且つ、前記第１の判別部によって前記受信電界強度が前記基準値よりも最も高いと判別された前記無線信号を特定する特定部とを具備し、
前記切り換え部は、前記特定部によって特定された前記無線信号に切り替えることを特徴とする移動局。
【請求項４】
前記第２の判別部は、前記無線信号に格納されている前記基地局を示す前記情報が前記格納部に登録されていないと判別すると、当該無線信号の無線チャネルを切り換え先候補から削除することを特徴とする請求項３記載の移動局。
【発明の詳細な説明】
【技術分野】
【０００１】
本発明は、基地局からＳＣＰＣ方式のデジタル無線システムを用いて無線信号を移動局に送信する際に、移動局に送信元基地局を特定させ、無線ＣＨを切り替えさせる無線システムと、この無線システムを用いる移動局とに関する。
【背景技術】
【０００２】
一般に、デジタル無線システムには、音声や文字などのデータを伝送する各チャネルのそれぞれに１つのキャリアを割り当てる一波単信方式（ＳＣＰＣ：Ｓｉｎｇｌｅ  Ｃｈａｎｎｅｌ  Ｐｅｒ  Ｃａｒｒｉｅｒ）が用いられている。ＳＣＰＣ方式のデジタル無線システムは、例えば狭帯域デジタル通信方式標準規格ＡＲＩＢ  ＳＴＤ−Ｔ６１に示されている。  
以下にＳＣＰＣ方式のデジタル無線システムを用いる移動局が、無線ＣＨを切り替える方法について説明する。  
移動局は、使用している無線信号における無線ＣＨの受信電界強度が基準レベルよりも低下した場合に、無線ＣＨを切り替える必要があると判別する。その際、移動局は、例えば搭載している無線機に登録され、使用していない他の複数の無線ＣＨに次々切り替え、各無線ＣＨの受信電界強度を測定する。移動局は、測定した中で受信電界強度が最も高い無線ＣＨを選択し、切り替える。この方法により、移動局は、常に受信電界強度が高い無線ＣＨを使用することとなる。
【０００３】
次に図８を参照して上述した従来の切り替え方法について簡単に説明する。  
基地局３ａと基地局３ｂは、同じデジタル無線システムを有し、基地局３ｄは、基地局３ａ，３ｂとは異なるデジタル無線システムを有する。移動局４ａは、基地局３ａと基地局３ｂのどちらか一方と無線信号を送受信して、基地局３ａと基地局３ｂに接続している図示していない管理部と無線通信を行うものとする。
【０００４】
例えば基地局３ａは、管理部と移動局４ａが無線通信を行う際に、無線ＣＨ１の無線信号Ｆ１，ｆ１を用い、無線信号を移動局４ａと送受信する。また例えば基地局３ｂは、管理部と移動局４ａが無線通信を行う際に、無線ＣＨ１とは周波数帯が異なる無線ＣＨ２の無線信号Ｆ１，ｆ１を用い、無線信号を移動局４ａと送受信する。このように基地局３ａと基地局３ｂは、異なる無線ＣＨにて移動局４ａと無線信号を送受信する。なお基地局３ｄは、基地局３ａと同一の無線ＣＨである無線ＣＨ１の無線信号Ｆ１を用いる。移動局４ａは、基地局３ａ，３ｂを介して管理部と無線通信を行うため、異なるデジタル無線システムを有する基地局３ｄを介しては行わない（移動局４ａは、基地局３ｄから無線信号を受信するが用いない）。移動局４ａは、無線ＣＨ１と無線ＣＨ２を使い分けて基地局３ａ、または基地局３ｂと無線信号を送受信し、管理部と無線通信を行う。移動局４ａは、例えば基地局３ａと無線信号を送受信する際、無線ＣＨ１を選択する。
【０００５】
ここで基地局３ａ，３ｂ，３ｄの無線ＣＨ到達エリア５ａ，５ｂ，５ｄにおいて、一部が重複しており、この重複するエリアを重複エリア５ｆとする。重複エリア５ｆには、移動局４ａが配置されるものとする。このとき移動局４ａには、基地局３ａ，３ｄから送信された無線信号における無線ＣＨ１と基地局３ｂから送信された無線信号における無線ＣＨ２が到達するが、移動局４ａは、無線ＣＨ１を使用して基地局３ａを介して管理部と無線通信しているものとする。
【０００６】
この状態で、「例えば基地局３ｄから無線ＣＨ１の無線信号Ｆ１を受信せず、基地局３ａの故障によって基地局３ａとの無線通信の停止（要因Ａ)」、または「移動局４ａが、基地局３ａの圏外（無線ＣＨ１到達エリア５ａの外）に移動し、基地局３ｂの圏内（無線ＣＨ２到達エリア５ｂの内）に移動し、基地局３ｄの圏外（無線ＣＨ１到達エリア５ｄの外）する（要因Ｂ)」の何れかが発生すると、使用している無線ＣＨ１の受信電界強度が基準レベルよりも低下する。そして移動局４ａは、基地局３ａから無線信号を受信できなくなる。よって移動局４ａは使用する無線信号における無線ＣＨを無線ＣＨ１から無線ＣＨ２に切り替える必要があると判別する。
【０００７】
そのため移動局４ａは、無線ＣＨ２の受信電界強度を測定し、無線ＣＨ２の受信電界強度が基準レベルよりも高いと判別した場合、移動局４ａは使用する無線信号における無線ＣＨを無線ＣＨ２に切り替え、基地局３ｂを介して管理部と無線通信を行う。
【０００８】
なお例えば特許文献１には、このようなＳＣＰＣ方式のデジタル無線システムが開示されている。このデジタル無線システムは、周波数が同じ受信信号の混信（干渉）を防止している。
【特許文献１】特開２００３−１３４５５６号公報
【発明の開示】
【発明が解決しようとする課題】
【０００９】
しかしながら無線ＣＨを送信する一方の基地局の無線ＣＨ到達エリアと、この無線ＣＨの周波数帯と同じ周波数帯を有する無線ＣＨを送信し、この一方の基地局とは異なるデジタル無線システムを有する他方の基地局の無線ＣＨ到達エリアにおいて、上述した従来の切り替え方法は、重複するエリアでは機能しない。よって移動局は、いつまでも無線通信を行いたい基地局と無線通信できない問題が発生する。
【００１０】
例えば図８に示すように、重複エリア５ｆにおいて移動局４ａは無線ＣＨ１を選択すると、基地局３ａから送信された無線信号における無線ＣＨ１と基地局３ｄから送信された無線信号における無線ＣＨ１は重複エリア５ｆでは混信するため、基地局３ｄから送信された無線信号における無線ＣＨ１も受信することになる。
【００１１】
この状態で、「例えば基地局３ｄから無線ＣＨ１の無線信号Ｆ１を受信でき、基地局３ａの故障によって基地局３ａとの無線通信の停止（要因Ｃ)」、または「移動局４ａが、基地局３ａの圏外（無線ＣＨ１到達エリア５ａの外）に移動し、且つ基地局３ｂの圏内（無線ＣＨ２到達エリア５ｂの内）に移動し、且つ基地局３ｄの圏内（無線ＣＨ１到達エリア５ｄの内）に移動する（要因Ｄ)」の何れかが発生すると、基地局３ａにおける使用している無線信号における無線ＣＨ１の受信電界強度が基準レベルよりも低下する。そして移動局４ａは、基地局３ａからの無線信号を受信できなくなる。よって移動局４ａは、使用する無線信号における無線ＣＨを無線ＣＨ２に切り替える必要がある。
【００１２】
つまり移動局４ａは、上述した要因Ｃ、または要因Ｄが発生した際、使用する無線信号における無線ＣＨを無線ＣＨ２に切り替えなければならない。しかしこのとき基地局３ｄの無線ＣＨ１の受信電界強度は基準レベルよりも高い状態を維持しているため、移動局４ａは、基地局３ｄの無線信号における無線ＣＨ１を受信できる。よって移動局４ａは、受信電界強度が基準レベルよりも高い無線ＣＨ１を切り替える必要がないと判別し、基地局３ａと、基地局３ｂのどちらとも無線通信を行わない状態になってしまう。
【００１３】
そのため本発明は、上記事情を鑑みて所望なＳＣＰＣ方式のデジタル無線システムからの無線ＣＨの受信電界強度が低下し、このデジタル無線システムとは異なる無線システムから受信電界強度が高い同一の無線ＣＨを受信しても、無線ＣＨに格納される識別子を基に、異なる無線システムと判別し、受信電界強度が高い所望するデジタル無線システムからの無線ＣＨを特定し切り替えを行う無線システムと、移動局とを提供することを目的とする。
【課題を解決するための手段】
【００１４】
本発明は目的を達成するために、複数の基地局と、前記基地局と無線通信を行う移動局とを備えた無線システムであって、前記基地局は、音声データを含む無線信号に当該基地局を示す情報を格納して送信し、前記移動局は、前記無線信号を前記基地局から受信する受信部と、前記基地局を示す前記情報を格納する格納部と、前記無線信号の受信電界強度が予め所望に設定されている基準値よりも低下したか否かを判別する第１の判別部と、前記第１の判別部が前記受信電界強度が前記基準値よりも低いと判別した際に、受信している全ての前記無線信号を切り替える切り換え部と、前記切り換え部が切り替えた全ての前記無線信号における各無線チャネルにおいて、前記受信部が受信した前記無線信号に格納されている前記基地局を示す前記情報が前記格納部に登録されているか否かを判別する第２の判別部と、前記第２の判別部によって前記基地局を示す前記情報が前記格納部に登録されていると判別され、且つ、前記第１の判別部によって前記受信電界強度が前記基準値よりも最も高いと判別された前記無線信号を特定する特定部と、を具備し、前記切り換え部は、前記特定部によって特定された前記無線信号に切り替えることを特徴とする無線システムを提供する。
また本発明は目的を達成するために、音声データを含む無線信号によって複数の基地局と無線通信を行う移動局であって、前記基地局から送信された当該基地局を示す情報が格納された前記無線信号を受信する受信部と、前記基地局を示す前記情報を格納する格納部と、前記無線信号の受信電界強度が予め所望に設定されている基準値よりも低下したか否かを判別する第１の判別部と、前記第１の判別部が前記受信電界強度が前記基準値よりも低いと判別した際に、受信している全ての前記無線信号を切り替える切り換え部と、前記切り換え部が切り替えた全ての前記無線信号における各無線チャネルにおいて、前記受信部が受信した前記無線信号に格納されている前記基地局を示す前記情報が前記格納部に登録されているか否かを判別する第２の判別部と、前記第２の判別部によって前記基地局を示す前記情報が前記格納部に登録されていると判別され、且つ、前記第１の判別部によって前記受信電界強度が前記基準値よりも最も高いと判別された前記無線信号を特定する特定部とを具備し、前記切り換え部は、前記特定部によって特定された前記無線信号に切り替えることを特徴とする移動局を提供する。
【００１５】
また本発明は目的を達成するために、前記基地局は、前記情報を前記基地局毎に設定する設定部と、をさらに具備することを特徴とする上記に記載の無線システムと、移動局とを提供する。
【００１６】
また本発明は目的を達成するために、前記設定部は、前記基地局から送信される前記無線信号の無線ＣＨ毎に前記情報を設定することを特徴とする上記に記載の無線システムと、移動局とを提供する。
【００１７】
また本発明は目的を達成するために、前記基地局は、前記情報を前記基地局が送信する前記無線信号に格納する格納部をさらに具備し、前記格納部は、前記情報を前記無線信号に格納する際、ＳＣＰＣ方式のフレームデータフォーマットの一部であるＲＩＣＨに格納することを特徴とする上記に記載の無線システムと、移動局とを提供する。
【発明の効果】
【００１８】
本発明によれば、所望なＳＣＰＣ方式のデジタル無線システムからの無線ＣＨの受信電界強度が低下し、このデジタル無線システムとは異なる無線システムから受信電界強度が高い同一の無線ＣＨを受信しても、無線ＣＨに格納される識別子を基に、異なる無線システムと判別し、受信電界強度が高い所望するデジタル無線システムからの無線ＣＨを特定し切り替えを行う無線システムと、移動局とを提供することができる。
【発明を実施するための最良の形態】
【００１９】
以下、図面を参照して本発明の実施形態について詳細に説明する。  
図１乃至図７を参照して第１の実施形態について説明する。図１乃至図７において、上述した図８と同等の部位には同じ参照符合を付し、その詳細な説明は省略する。図１は、無線信号を切り換える際に、無線信号を送信した送信元の基地局（以下、送信元基地局）を特定し、この無線信号に切り替える送信元基地局特定切替システムを示す概略構成図である。この送信元基地局特定切替システムは、基地局と移動局間において例えばＳＣＰＣ方式を用いて無線信号を送受信し、無線通信を行う。このＳＣＰＣ方式では、例えば狭帯域デジタル通信方式標準規格（ＡＲＩＢ  ＳＴＤ−Ｔ６１）が設定されている。これにより無線通信の際、データのフレームデータフォーマットや接続手順が決められている。
【００２０】
図１が図８と異なる点は、管理部１と、管理部１と各基地局を中継する回線交換部２（２ａ，２ｂ，２ｃ）と、基地局３ａ，３ｂと同じデジタル無線システムを有する基地局３ｃと、を設けた点である。基地局３ｃは、周波数帯（無線ＣＨ３，４）の異なる複数の無線信号Ｆ１を送信するものとする。基地局３ｃの無線信号Ｆ１における無線ＣＨ３，４到達エリア５ｃの一部は、重複エリア５ｆと重複しているものとする。なお同じデジタル無線システムを有している３つ基地局３（３ａ，３ｂ，３ｃ）が、記載されているが、この数は限定されない。
【００２１】
例えば基地局３ａの圏内を示す無線ＣＨ１到達エリア５ａには、例えばタクシーである移動局４ａ，４ｂ，４ｃが複数配置されるものとする。そのため例えば移動局４ｂには、基地局３ａから送信された無線信号Ｆ１における無線ＣＨ１が到達する。また重複エリア５ｆに配置される移動局４ａには、基地局３ａと基地局３ｄから送信された無線信号Ｆ１における無線ＣＨ１と、基地局３ｂから送信された無線信号Ｆ１における無線ＣＨ２と、基地局３ｃから送信された無線信号Ｆ１における無線ＣＨ３，４が到達する。各無線ＣＨ到達エリアと重複エリア５ｆにおいて、各無線信号Ｆ１における無線ＣＨの受信電界強度は、図７に示すように移動局４ａから基地局までの距離に対応する。  
管理部１は、例えば回線交換部２を統制する図示しない統制台と、回線交換部２と基地局３を介して移動局４と音声情報や文字情報や画像情報などのデータを無線通信（データ通信）する無線卓と、を有している。無線卓は、指示を有するデータを例えば移動局４ａに回線交換部２ａと基地局３ａを介して無線ＣＨ１やメール等で無線送信し、また移動局４ａから送信される無線信号ｆ１を基地局３ａと回線交換部２ａを介して受信し、移動局４ａから送信されるデータを記憶や表示する。
【００２２】
回線交換部２は、管理部１から送信されたデータを回線交換部２と接続している基地局３に送信する。また回線交換部２は、移動局４から送信されたデータを基地局３を介して受信し、受信したデータを無線卓に送信する。
【００２３】
基地局３は、回線交換部２から送信されたデータを無線信号Ｆ１として無線ＣＨ到達エリア内に配置する移動局４に送信し、無線信号ｆ１として移動局４から送信されたデータを回線交換部２に送信する。無線信号Ｆ１は例えばポーリング信号や運用波等であり、無線信号ｆ１は例えばポーリング信号に応答するポーリング応答信号や運用波等である。  
図２に示すように基地局３には、例えば移動局４にデータを無線信号Ｆ１として送信する際、基地局を示す第１の情報である識別子（基地局ＩＤ）を、基地局毎に設定する設定部３０が設けられている。この識別子は、無線信号Ｆ１を送信した基地局３である送信元基地局を移動局４に特定させる基地局番号を有している。そのため識別子は、後述する図６に示すように無線信号Ｆ１を送信する基地局毎によって異なる。詳細には、設定部３０は無線信号Ｆ１における無線ＣＨ毎に識別子を設定する。そのため設定部３０は、例えば基地局３ｃのように周波数帯（無線ＣＨ３，４）の異なる複数の無線信号Ｆ１を送信する場合、無線ＣＨ毎に識別子を設定する。なお設定された識別子は、図示しない記憶部によって記憶されていても良い。
【００２４】
また基地局３には、基地局３が送信する無線信号Ｆ１に識別子を格納する第１の格納部３１と、識別子を格納された無線信号Ｆ１に対して後述する処理を施す処理部３２と、無線信号Ｆ１，ｆ１を送受信する送受信部３３が設けられている。  
第１の格納部３１は、識別子を無線信号Ｆ１に格納する際、例えば無線回線を維持するために上述したデータを伝送するチャネル(無線情報チャネル)であり、ＳＣＰＣ方式のフレームデータフォーマットの一部である「ＲＩＣＨ」（Ｒａｄｉｏ  Ｉｎｆｏｒｍａｔｉｏｎ  Ｃｈａｎｎｅｌ）に識別子を格納する。
【００２５】
基地局３において、一般に「ＲＩＣＨ」は、図３に示すように例えば１７ビットに設定されている。「ＲＩＣＨ」において、予め９ビットの領域は、２ビットと３ビットと３ビットと３ビットに区分けされており、第１の格納部３１は、それぞれに無線信号Ｆ１の種別等を特定する特定情報を予め格納している。よって第１の格納部３１は、残りの６ビットの領域に識別子を格納する。なお第１の格納部３１は、図３に示すように６ビットの領域全てに識別子を格納しているがこれに限定する必要はない。第１の格納部３１は、例えば３ビットの領域に識別子を格納し、残りの３ビットの領域に別の情報等を格納してもよい。
【００２６】
識別子は、後述する図６に示すように例えば基地局３ａから送信される無線信号Ｆ１における無線ＣＨ１と基地局３ｂから送信される無線信号Ｆ１における無線ＣＨ２によって異なる。例えば識別子が６ビットの領域に格納された場合、例えば前者の識別子の基地局番号は「０００００１」と設定部３０によって設定され、後者の識別子の基地局番号は「００００１０」と設定部３０によって設定される。また識別子は、基地局３ｃから送信される無線信号Ｆ１における無線ＣＨ３と基地局３ｃから送信される無線信号Ｆ１における無線ＣＨ４でも異なる。例えば識別子が６ビットの領域に格納された場合、例えば前者の識別子の基地局番号は「０００１００」と設定部３０によって設定され、後者の識別子の基地局番号は「０００１０１」と設定部３０によって設定される。
【００２７】
処理部３２は、識別子を格納している「ＲＩＣＨ」に対して誤り検出を行うためのＣＲＣ処理を施し、固定ビットなどを挿入付加し、例えば畳み込み符号化の方式などを用いた誤り訂正符号化処理を施して５６ビットのフレームデータフォーマットに変換し、所定周期で分散させるインタリーブ処理を施す。
【００２８】
また処理部３２は、識別子を有し５６ビットに変換された「ＲＩＣＨ」に、例えば図４に示すような、「ＬＰ＋Ｒ」と「Ｐａ」と「ＴＣＨ」と「ＳＷ」と「未定義領域」を付加しフレームデータフォーマットを生成する。図４に示す数値は、予め設定されるビット数を示す。  
「ＬＰ＋Ｒ」は、リニアライザのトレーニング期間とバースト波の過渡応答(ランプアップ、ランプダウン)用に割り当てた時間である。「Ｐａ」は、プリアンブル信号である。「ＴＣＨ」は、トラフィックチャネルであり、音声データを伝送する。「ＳＷ」は、同期ワード（Ｓｙｎｃ  Ｗｏｒｄ)である。
【００２９】
送受信部３３は、「ＲＩＣＨ」において第１の格納部３１によって格納された識別子を有し、上述したフレームデータフォーマットを用いた無線信号Ｆ１を移動局に送信し、移動局４から無線信号ｆ１を受信する。  
移動局４は、図５に示すように無線信号Ｆ１，ｆ１を送受信する送受信部４１と、例えば上述した無線信号Ｆ１に含まれ、無線卓から送信された文字情報や画像情報等を表示する表示部４２と、音声情報等を出力する出力部４３を有している。
【００３０】
また移動局４には、図５に示すように送信元基地局特定切替装置が搭載されている。この送信元基地局特定切替装置には、制御部４４と、記憶部４５と、第２の格納部４６と、検出部４７と、第１の判別部４８と、第２の判別部４９と、特定部５０と、切り替え部５１と、が設けられており、制御部４４は、記憶部４５と、第２の格納部４６と、検出部４７と、第１の判別部４８と、第２の判別部４９と、特定部５０と、切り替え部５１と、上述した送受信部４１と、表示部４２と、出力部４３を制御する。
【００３１】
記憶部４５は、無線信号Ｆ１における無線ＣＨの受信電界強度に対する閾値であり所望な値を有する基準値（基準レベル）を記憶する。  
第２の格納部４６は、図６に示すデータベースを格納している。このデータベースには、識別子と、識別子に対応し、識別子を基に送信元基地局を特定するための第２の情報である基地局情報が登録されている。基地局情報には、例えば基地局３ａ，３ｂ，３ｃといった基地局名と、各基地局の周波数（無線ＣＨ）が含まれている。例えばデータベースには、識別子「０００００１」を格納する無線信号Ｆ１の送信元基地局は、基地局３ａであることが登録されている。
【００３２】
検出部４７は、各基地局３から送信される無線信号Ｆ１における無線ＣＨの受信電界強度を検出し、その際、受信電界強度が基準レベルより最も高い無線ＣＨを検出する。
【００３３】
第１の判別部４８は、検出部４７により検出された受信電界強度が記憶部４５に記憶される基準レベルよりも低下したか否かを判別する。
【００３４】
第１の判別部４８は使用している無線信号Ｆ１における無線ＣＨの受信電界強度が基準レベルより低下したと判別した際、切替部５１は、使用する無線信号Ｆ１における無線ＣＨを、受信電界強度が基準レベルより高い全ての他の無線ＣＨに切り替える。
【００３５】
また切り替え部５１は、使用する無線ＣＨを後述する特定部５０によって特定された無線ＣＨに切り替える。なお第１の判別部４８が受信電界強度が基準レベルよりも高いと判別した場合には、切り替え部５１は、無線ＣＨを切り替えずに、この無線ＣＨを受信する状態を維持する。
【００３６】
第２の判別部４９は、切り替え部５１が切り替えた全ての無線信号Ｆ１における各無線ＣＨにおいて、無線信号Ｆ１に格納されている識別子に対応する基地局情報がデータベースに登録されているか否かを判別し、無線信号Ｆ１の送信元基地局を判別する。その際、第２の判別部４９は、データベースに記載されていない識別子を格納している無線信号Ｆ１における無線ＣＨを異なるデジタル無線システムの無線信号Ｆ１における無線ＣＨであると判別し、無線ＣＨの切り替え先候補から削除する。  
特定部５０は、第２の判別部４９によって送信元基地局が判別され、且つ第１の判別部４８によって受信電界強度が基準レベルより最も高いと判別された無線信号Ｆ１における無線ＣＨを特定する。
【００３７】
本実施形態において、基地局３に設けられる設定部３０と第１の格納部３１と処理部３２と送受信部３３と、移動局４に搭載される送信元基地局特定切替装置によって送信元基地局特定切替システムが構成されている。
【００３８】
なお管理部１と移動局４は、回線交換部２と基地局３を介して無線信号Ｆ１，ｆ１を用いてデータ通信を行う。また管理部１と各移動局４は、回線交換部２と基地局３を介して無線信号Ｆ１，ｆ１を用いて例えば一斉通話を含むデータ通信を行う。
【００３９】
また同一基地局３の圏内に配置されている移動局（例えば移動局４ａと移動局４ｂ）同士は、直接波を利用して例えば通話を含むデータ通信を行う。また基地局３ａの圏内に配置されている移動局４ａと基地局３ｂの圏内に配置されている移動局４ｄは、回線交換部２ａ，２ｂと基地局３ａ，３ｂを介して例えば通話を含むデータ通信を行う。
【００４０】
全ての移動局４は、無線信号Ｆ１，ｆ１と直接波を切り替えてデータ通信を行う。  
文字情報と音声情報は、同時に送受信を行える。また基地局３同士や回線交換部２同士は、接続していても良い。
【００４１】
次にこのように構成される送信元基地局特定切替システム及び送信元基地局特定切替装置の動作について説明する。  
管理部１が回線交換部２ａと基地局３ａを介して移動局４ａとデータ通信を行う際に、基地局３ａにおいて、図３に示すように「ＲＩＣＨ」には、第１の格納部３１によって識別子が格納される。識別子を格納した「ＲＩＣＨ」は、処理部３２によって上述した処理を施され、無線信号Ｆ１として送受信部３３によって移動局４ａに送信される。
【００４２】
その際、移動局４ａが、重複エリア５ｆにおいて、例えば上述した要因Ｄや基地局３ａから離れ基地局３ｂに近づくと、基地局３ａから送信される無線信号Ｆ１における無線ＣＨ１の受信電界強度が図７に示すように低下する。その際、検出部４７により検出された無線ＣＨ１の受信電界強度が記憶部４５に記憶される基準レベルよりも低いか否か、第１の判別部４８によって判別される。
【００４３】
この受信電界強度が基準レベルより低下したと、第１の判別部４８によって判別された際、移動局４ａが管理部１とデータ通信をする際に使用する無線信号Ｆ１における無線ＣＨは、切り替え部５１によって受信電界強度が基準レベルより高い他の無線信号Ｆ１における無線ＣＨに切り替えられる。この場合、切り替え部５１は、基地局３ａから送信される無線信号Ｆ１における無線ＣＨ１から、受信できる無線信号Ｆ１における無線ＣＨに切り替える。つまり切り替え部５１は、基地局３ｂから送信される無線信号Ｆ１における無線ＣＨ２と基地局３ｃから送信される無線信号Ｆ１における無線ＣＨ３，４に切り替え、基地局３ｂ，３ｃから送信された無線信号Ｆ１を受信する。
【００４４】
このとき、基地局３ｂ，３ｃから送信される無線信号Ｆ１には、上述した基地局３ａから送信される無線信号Ｆ１と同様に、識別子が第１の格納部３１によって格納されている。  なお重複エリア５ｆに配置している移動局４ａには、基地局３ｄから送信される無線信号Ｆ１における無線ＣＨ１も受信できる状態であるため、基地局３ｄから送信された無線信号Ｆ１を受信する。なお無線信号Ｆ１には、基地局３ｄが基地局３ａとは異なるデジタル無線システムを用いているために、識別子が格納されていない。
【００４５】
切り替え部５１が切り替えた基地局３ｂ，３ｃから送信される無線信号Ｆ１における無線ＣＨ２，３，４と、基地局３ｄから送信される無線信号Ｆ１における無線ＣＨ１において、これら無線ＣＨの識別子に対応する基地局情報が第２の格納部４６に格納されているデータベースに登録されているか否か、第２の判別部４９によって判別される。第２の格納部４６に格納されているデータベースには、基地局３ｂ，３ｃから送信される無線信号Ｆ１における無線ＣＨ２，３，４に対応する識別子のみが登録されている。よって第２の判別部４９は、これら識別子を基にデータベースを参照した結果から送信元基地局が３ｂ，３ｃであると判別する。また第２の判別部４９は、基地局３ｄから送信される無線ＣＨ１を異なるデジタル無線システムから送信された無線信号Ｆ１の無線ＣＨ１である判別し、切り替え先候補から削除する。
【００４６】
次に特定部５０は、第２の判別部４９によって送信元基地局（基地局３ｂ，３ｃ）が判別され、且つ第１の判別部４８によって受信電界強度が基準レベルよりも最も高いと判別された無線信号Ｆ１の無線ＣＨ（無線ＣＨ２，３，４のいずれか）を特定する。移動局４は、重複エリア５ｆに移動し、基地局３ｂに近づいている。よって特定部５０は、無線ＣＨ２の受信電界強度が最も高いと特定する。切り替え部５１は、特定部５０によって特定された無線ＣＨ２を有する無線信号Ｆ１に使用する無線信号Ｆ１を切り替える。
【００４７】
このように本実施形態の移動局４は、例えば無線ＣＨ１到達エリア５ａから重複エリア５ｆに移動したり、上述した要因Ｄにより、受信電界強度が低下することで基地局３ａから送信される無線信号Ｆ１における無線ＣＨ１を受信できなくなる。その際、移動局４は、基地局３ａとは異なるデジタル無線システムを使用する基地局３ｄから基地局３ａと同一の無線ＣＨ１を受信しても、第１の格納部３１によって無線信号Ｆ１に格納される識別子を基に異なるデジタル無線システムと判別し、切り換え先候補から削除することができる。また移動局４は、基地局３ａと同じデジタル無線システムを使用する基地局３ｂ，３ｃから送信された無線信号Ｆ１を受信した際、これら無線信号Ｆ１に格納される識別子から基地局３ａと同じデジタル無線システムを使用する基地局であると判別し、さらにその中から受信電界強度が最も高い無線ＣＨを特定し、切り替えることができる。
【００４８】
これにより本実施形態の移動局４は、使用している無線ＣＨの受信電界強度が基準レベルよりも低下しても同じデジタル無線システムからの他の無線ＣＨに切り替わるために、回線交換部２と基地局３を介して通信効率を下げることなく管理部１と無駄なくデータ通信を行うことができる。
【００４９】
また識別子は、無線ＣＨ毎に異なる。よって移動局４は、同一基地局３（本実施形態の場合は基地局３ｃ）から送信される複数の無線信号Ｆ１における無線ＣＨ（本実施形態の場合は無線ＣＨ３，無線ＣＨ４）でも、切り換わる前のデジタル無線システムを使用する基地局３から送信された無線信号Ｆ１であることを判別することができる。
【００５０】
また第１の格納部３１は「ＲＩＣＨ」により多くの識別子を格納するほど、基地局３は送信元基地局３を特定できる情報をより多く移動局４に送信することができる。これにより移動局４は、受信する無線信号Ｆ１が、使用していたデジタル無線システムと同一であることをより確実に判別することができる。
【００５１】
また第１の格納部３１は「ＲＩＣＨ」に識別子を格納したがこれに限定する必要はなく、例えば図３に示すフレームデータフォーマットの「未定義」領域に格納しても良い。
【００５２】
なお上記説明は、移動局４ａと管理部１がデータ通信を行う際において、送信元基地局を判別するための説明に限定したがこれに限定する必要はない。例えば移動局４ｂと移動局４ｄが、基地局３ａ，３ｂと、回線交換部２ａ，２ｂを介してデータ通信を行う際も同様の効果を得ることができる。また例えば管理部１と移動局４ａ，４ｂが基地局３と回線交換部２を介して通信を行う際も同様の効果を得ることができる。
【００５３】
また、図１では、回線交換部２と基地局３は、管理部１とは独立した形態であるが、送信元基地局特定切替システムの規模に応じて管理部１と回線交換部２と基地局３を一体に構成することもできる。
【００５４】
このように本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図面の簡単な説明】
【００５５】
【図１】図１は、本実施形態において無線信号を切り換える際に、無線信号を送信した送信元の基地局を特定し、この無線信号に切り替える送信元基地局特定切替システムを示す概略構成図である。
【図２】図２は、本実施形態の基地局のシステム構成を概略的に示す概略構成図である。
【図３】図３は、ＳＣＰＣ方式の送信元基地局特定切替装置における送信フレームデータフォーマットの一部である「ＲＩＣＨ」の一例を示す図である。
【図４】図４は、ＳＣＰＣ方式の送信元基地局特定切替装置における送信フレームデータフォーマットの一例を示す図である。
【図５】図５は、本実施形態の送信元基地局特定切替装置の概略構成図である。
【図６】図６は、送信元基地局と送信元基地局に対応する識別子の基地局番号や、送信元基地局と送信される無線ＣＨに対応する識別子の基地局番号がまとめられているデータベースを示す図である。
【図７】図７は、基地局から送信される無線信号の受信電界強度と、移動局から基地局までの距離の関係を示す図である。
【図８】図８は、従来の切り換えを示す概略構成図である。
【符号の説明】
【００５６】
１…管理部、２（２ａ，２ｂ，２ｃ）…回線交換部、３（３ａ，３ｂ，３ｃ，３ｄ）…基地局、４…移動局、５ａ，５ｂ，５ｃ，５ｄ…無線ＣＨ到達エリア、３１…第１の格納部、３２…処理部、３３…送受信部、４１…送受信部、４２…表示部、４３…出力部、４４…制御部、４５…記憶部、４６…第２の格納部、４７…検出部、４８…第１の判別部、４９…第２の判別部、５０…特定部。
【図１】
0005026187.tif 000002
【図２】
0005026187.tif 000003
【図３】
0005026187.tif 000004
【図４】
0005026187.tif 000005
【図５】
0005026187.tif 000006
【図６】
0005026187.tif 000007
【図７】
0005026187.tif 000008
【図８】
0005026187.tif 000009